(57)【要約】従来、掩蔽壕の標的等に対して兵器が使用される場合には、しばしば、不適合な手段が使用される。本発明の装置は、爆薬４，３ａまたは非致命的な物質等の活性材料を収容した発射体コア１から成る。前記発射体コアが、弾道兵器２０内に配置される場合、従来の兵器の発射体構造以外の状態と同じ発射体構造以外の状態に調整して、駆動装置Ａ、プラットフォーム、およびそのロジスティックスを使用するような方法をとることができる。例えば攻撃中であって人質を取っている最中に、非致命的な活性材料を備えた貫通コア１を警察官が使用する方法を、特に対象としている。これにより、防弾ガラスおよび／または壁の背後に隠れている人物に対してでさえ、視覚的な接触が得られない場合でも、動くことをできなくすることができる。その結果、周囲への被害や第３者への被害が最小となる。
2004501339.tif 000002
【特許請求の範囲】
【請求項１】
貫通コアと、標的において貫通コアを少なくとも部分的に破砕する弾薬と、自動点火装置と、点火ジェネレータと、一体にされた起爆装置を有する加速に応じる安全要素とを備えた自己推進式発射体であって、貫通コア（１）は、少なくとも後部に、同軸キャビティ（２）を備え、同軸キャビティ（２）内には、キャビティ（２）を開放するための火薬（４；３ａ）に隣接して、非致命的な活性物質（３ｂ）が装填されていることを特徴とする、自己推進式発射体。
【請求項２】
貫通コアと、標的において貫通コアを少なくとも部分的に破砕する弾薬と、自動点火装置と、点火ジェネレータと、一体にされた起爆装置を有する加速に応じる安全要素とを備えた自己推進式発射体であって、貫通コア（１）が、発射体ジャケット（２０）の中心軸に沿って挿入され、発射体ジャケット（２０）は、中空弾薬が設けられた発射体の外側発射体構造、または破砕性ジャケットを伴う大口径の爆薬が設けられた発射体の外側発射体構造と同じ外側発射体構造を有し、貫通コア（１）の同軸キャビティ（２）内には、標的でキャビティを開放する少なくとも１つの爆薬（４；３ａ）が装填されていることを特徴とする、自己推進式発射体。
【請求項３】
キャビティ（２）内には、別の非致命的な活性物質（３ｂ）が装填されていることを特徴とする、請求項１に記載の自己推進式発射体。
【請求項４】
非致命的な活性物質（３ｂ）が、カプサイチンまたは催涙ガスであることを特徴とする、請求項１または３に記載の自己推進式発射体。
【請求項５】
貫通コア（１）がフラグメント形成され、および／または、フラグメント形成リング（３ｃ）が、キャビティ（２）内に設けられていることを特徴とする、請求項２に記載の自己推進式発射体。
【請求項６】
貫通コア（１）が段付きの先端（１０）を有し、段付きの先端は、比較的小さなダーツ角度（α１）から比較的大きな鋭角度（α２）まで変化することを特徴とする、請求項１から５のいずれか一項に記載の自己推進式発射体。
【請求項７】
貫通コア（１）は、後端に向かって所定の角度（β）だけ先細るダーツ軸部（１２）を有していることを特徴とする、請求項１から６のいずれか一項に記載の自己推進式発射体。
【請求項８】
キャビティ（２）の内壁に切り欠き状の溝が設けられ、切り欠き状の溝によって、貫通コア（１）は、爆発時に、所定の態様で破壊されて開放されることを特徴とする、請求項３または４に記載の自己推進式発射体。
【請求項９】
カプサイチンが、プラスチックカプセル内に格納され、プラスチックカプセルが、外部でキャビティ（２）の内壁に機械的に接続されることを特徴とする、請求項４に記載の自己推進式発射体。
【請求項１０】
煙形成火工材料等の煙を生じる物質が、キャビティ（２）内に装填されていることを特徴とする、請求項３に記載の自己推進式発射体。
【発明の詳細な説明】
【０００１】
本発明は、請求項１または請求項２のプリアンブルに記載された自己推進式発射体に関する。
【０００２】
いわゆる平和維持措置をとる場合、現在の多国籍軍のいずれも、適切な兵器システムを所有していないという事になる。例えば、遮蔽物の背後にいる一人の狙撃手は、現在、催涙ガス等に対する保護手段をとった場合、重火器だけで攻撃され得る。
【０００３】
したがって、そのような攻撃の戦術的なリーダーは、対象を完全に全滅させることなく特に掩蔽壕（ｂｕｎｋｅｒ）の標的を貫通する兵器システムを必要としてきた。
【０００４】
南アフリカ共和国のＦｉｒｇｒｏｖｅ，Ｒｅｐｕｂｌｉｃ　にあるＤｅｎｅｌ（Ｐｔｙ）社による試験によれば、標的に対する激突時の速度が音速を下回っている場合であっても、コンクリート等の掩蔽壕の標的、軽金属で補強された装甲土嚢を貫通するように、爆発性貫通体として知られる爆発性ダーツを発射することができることが分かった。また、中心にある爆薬により、標的、すなわち、装甲体の背後で、爆発性ダーツをうまく破砕させることができ、そこでどちらかと言えば多大な破壊を引き起こせることが分かった。
【０００５】
警察官による、（掩蔽壕の標的に対する）重大な介入に関する専用の兵器システムの開発は、経済的に妥当ではない。これは、従来の戦闘軍の全体として、ロジスティックス（ｌｏｇｉｓｔｉｃｓ）も同時に変更しなければならないためである。
【０００６】
したがって、本発明の目的は、ダーツ状の発射体（ｄａｒｔ−ｌｉｋｅ　ｐｒｏｊｅｃｔｉｌｅ）、特に爆発性ダーツを使用して、標的の限られた局所で効果が得られるようにすることである。
【０００７】
ダーツ状の発射体は、地上の建物の従来の壁、防弾ガラス、および鉄筋コンクリートのタグアウト、アルミニウム合金のパネルを有する軽装甲車、特に土嚢のバリケードを貫通するとともに、これらの背後に位置する人物を動けなくしたり、装置を動作不能にするようになっている。
【０００８】
また、本発明の主題は、既存の従来の兵器システムおよび／または概念を利用できるようになっており、特に、その発射装置（プラットフォーム）により使用できるようになっている。
【０００９】
本発明は、非致命的な介入および致命的な結果を生む介入の両方に適するようになっている。
【００１０】
本発明の目的は、請求項１または請求項２の特徴部分に従う解決方法によって達成される。
【００１１】
驚くべきことに、貫通コアは、それ自体損傷を受けることなく、掩蔽壕の標的等を貫通し、予め選択された作用を成すように形成された活性物質を、標的領域内に導入することができる。
【００１２】
請求項２に係るそのような貫通コアを使用すると、既存の兵器システム、特にその既存のプラットフォームを使用することができる。
【００１３】
外側発射体構造（ｅｘｔｅｒｉｏｒ　ｂａｌｌｉｓｔｉｃｓ）が類似する発射体ジャケットにより、弾頭を簡単に交換することによって、例えば軍隊の訓練を行なうことなく、また、ロジスティックスを著しく変更することなく、極めて特定の効果を得ることができる。
【００１４】
本発明の主題の有利な構成は、従属請求項に特徴付けられている。
【００１５】
特に警察の行動においては、例えば襲撃中や人質を取っている場合、請求項３に記載されるように、１人または複数の人物を一時的に動けなくする、非致命的な活性物質が適している。
【００１６】
強力な催涙活性物質が、請求項４に記載された種類のものである場合には、この強力な催涙活性物質を、壁や防弾ガラスの背後に導入することは特に容易である。
【００１７】
請求項５に記載された発射体の構成は、比較的大きな空間内で致命的な作用を呈する兵器を形成する。破砕形態は、良く知られている方法で達成される。
【００１８】
強固な鉄筋コンクリート壁であっても、実質的に無傷で貫通する請求項６に記載された段付きの先端は、特に効を奏することが分かった。
【００１９】
請求項７に記載されたダーツ軸部のテーパは、貫通中の摩擦抵抗を低減するため、有益である。
【００２０】
請求項８に記載された、例えば軸方向の適当な切り欠き状の溝により、最小の力で貫通コアを内側から開放することができる。
【００２１】
請求項９に記載されるように、貫通コアと非致命的な活性物質のための容器との間を機械的に接続することにより、非致命的な活性物質を自動的に散布することができる。
【００２２】
請求項１０に記載される煙形成活性物質を、同時に或は別個に封入することは、戦術的に非常に重要である。
【００２３】
本発明の主題の典型的な実施形態が、添付図面に示されている。
【００２４】
図１において、参照符号１は、ダーツ状の貫通コアを示している。この貫通コアは、先端に向かって先細り、且つ先端に継ぎ目の無い球状キャップを形成するキャビティ２を備えている。活性弾薬３、この特定の事例では、安定した強力な火薬が、キャビティ２の前端部内に隙間無く格納されている。活性弾薬３の後側には、中央点火チャンネル８を有する補償スプリング７が配置されるとともに、スプリング７の後側には、自動点火装置５の起爆装置５’と共にそれ自体知られている点火チェーンを形成する初期弾薬４が配置されている。貫通コア１の後部には、装着フランジ６が設けられており、この装着フランジ６によってコア１を、ここでは図示しない推進手段Ａに対して容易に一体化させることができる。
【００２５】
貫通コア１の先端１０は、後端に向かって段を成して形成されている。比較的鈍なダーツ角度α１は、隣接するテーパ状の軸部１１を通じて更に鋭い角度α２へと変化している。円筒状のダーツ軸部１２は、僅かな角度βだけ、後部領域に向かって細くなっており、これにより、標的に対するダーツの貫通が容易となっている。
【００２６】
図１に示される貫通コア１の形状は、１６０から２４０ｍ／ｓの速度範囲であっても、専門家さえもが驚くほどの良好な貫通能力を有している。５００００ジュールという特有のエネルギが作用する、ダーツ角度がα１である硬質の先端１０は、明らかに、殆どの材料を「排除（ｃｌｅａｒ　ａｗａｙ）」する。貫通コア１の驚異的な作用に関する正確な物理学的説明はない。
【００２７】
図２は、バレル２２から発射されるバズーカ発射体の特徴的な形態を成す、単純形状のロケット弾を示している。発射速度ｖ０は、最大で３００ｍ／ｓになる。推進手段Ａは従来型のものであり、テールスタビライザ２１を同様に有している。従来のバズーカ発射体と異なり、非致命的な活性物質３ｂを含む貫通コア１は、２部品弾道ケーシング２０の後側で、推進手段Ａに配置されている。
【００２８】
この構成の更なる詳細が図３より明らかになる。
【００２９】
図１の構成とは対照的に、図３は、純粋に致命的な効果を奏する貫通コア１に関するものである。キャビティ２内には爆薬３ａが格納され、その中には、更にフラグメンテーションリング３ｃ（フラグメンテーションマトリクス）が組み込まれている。爆発時、フラグメンテーションリングは、破砕したコア１と共に、様々なサイズの複数の破片を形成する。
【００３０】
装着フランジ６は、ここでは、確実な嵌め合いで、ケーシング２０に捩じ込まれる。ケーシング２０の中間部には、支持リング２３が配置されている。この支持リング２３は、センタリングリング２４と結合し、貫通コア１を軸方向で対称的に中心付ける。別個の錘２５は、記号で示される重心９を、従来のバズーカ発射体の場合と同じ位置に変位させている。閉塞キャップ２７（スパイクダミーと呼ばれる）および後端アダプタ２６等の他の構成によって、ヘッド全体を推進手段Ａに対して問題無く取り付けることができる。その結果、外側発射体構造は、良く知られているような中空弾薬を含む従来のバズーカ発射体の外側発射体構造と同一になる。
【００３１】
図４は、発射から標的ａ０への衝突および爆発ａＺまでの、本発明に係る装置の弾道（発射距離）Ｄに応じた速度特性を示している。
【００３２】
本発明の主題の使用においては、正確な機能および安全性にとって、点火装置が重要である。点火装置は、安全状態から、加速アンロッキング段階Ａ−Ｅ、および遅延アンロッキング段階Ｒ−Ｅを介して、図１および図３に示される起爆装置作動位置へと起爆装置５’を揺動させる。
【００３３】
一体化された点火ジェネレータ、安全部材、および高性能起爆装置を有する適当な点火装置は、市販されている（ＥＭＳ−Ｐａｔｖａｇ　ＡＧ，ＣＨ−７０１３Ｄｏｍａｔ／Ｅｍｓ；ＰＥＰＺ−０５型）。この点火装置は、１０００００ｇの衝撃抵抗を有するようになっている。そのような点火装置の動作モードは、ＥＰ−Ａ−０１０４１３８および米国特許第５，２６９，２２３号に詳細に記載されている。これらの公報により、本発明の主題を用いて考えられる実質的に全ての用途に、前記点火装置を適合させることができると思われる。
【００３４】
貫通コア１は、ＤＩＮ　３４ＣｒＮｉＭｏ６による急冷鍛鋼合金によって製造されることが有利であり、同様に市販されている（Ｇｅｂｒ．Ｂｏｈｌｅｒ　＆　Ｃｏ．　ＡＧ，　ＣＨ−８０３４　Ｗａｌｌｉｓｅｌｌｅｎ；Ｖ１５５型）。好ましい実施形態において、角度α１は７０°であり、角度α２は３０°であり、角度β（傾斜）は千分率で１．４である。無論、貫通コア１の硬度特性は、先端から後端に向かって減少するように調整される。
【００３５】
最新の爆薬（ＤＹＮＯ　Ｄｅｆｅｎｃｅ　Ｐｒｏｄｕｃｔ社、ＮＯのＰＢＸＮ−９）が、標的に対する衝撃に耐え、点火において更なる予備弾薬４を必要としない点について示してきた。
【００３６】
本発明の主題によれば、犯罪行為と戦う全く新しい方法が可能となる。例えば、人質犯が、銀行のサービスカウンタ領域でバリケードを築いて立てこもっている場合であって、視覚的な接触が得られない場合には、携帯無線電話の決定（位置画定）により、カプサイチン３ｂを含む貫通コア１を、人質犯に向けて発射することができる。壁または包囲体を突然に貫通する発射体により、人質犯は、恐怖で麻痺し、抵抗できなくなる。その後数秒内にコア１が爆発して、比較的多量のカプサイチンが噴霧され、比較的長い時間、人質犯は完全に動けなくなる。これにより、これと平行して、警察官は、損傷を受けていない建物の中に入り、自分の職務を遂行する。
【００３７】
催涙ガスや煙等の非致命的な活性物質を使用した場合に、第３者が危険に晒されないように、キャビティ２内には、ほんの僅かな量の爆薬が装填される。特に、活性物質容器と貫通コアとの間に機械的な接続（接着）がある場合、内壁における適当な切り欠きにより、僅かな向心力であっても、破裂する貫通コアから活性物質を十分に逃がすことができ、すなわち、活性物質を噴霧することができる。
【００３８】
使用される点火装置、致命的もしくは非致命的な活性物質の火薬、および付加的な活性弾薬に応じて、起こり得る様々な危険性をもった標的との個別的で安全な戦闘を、離れた場所から行なうことができる。このように、発射体および貫通コアは、モジュール式組立品であって、交換可能な構成であり、周囲への被害や脅威において最適化することができる。このように、結果として貫通コアの口径寸法の穴を標的または壁に穿孔するだけであるため、本発明における必然的な被害は最小である。
【図面の簡単な説明】
【図１】
貫通コアの断面図を示している。
【図２】
非致命的な介入のための一体的な貫通コアを有する所謂バズーカ発射体を示している。
【図３】
図２によるバズーカ発射体の弾道ケーシングの断面図を示している。
【図４】
標的に向かう弾道に関する図２に示されるバズーカ発射体の特徴的な速度特性を示している。
【図１】
2004501339.tif 000003
【図２】
2004501339.tif 000004
【図３】
2004501339.tif 000005
【図４】
2004501339.tif 000006
【国際公開パンフレット】
2004501339.tif 000007
2004501339.tif 000008
2004501339.tif 000009
2004501339.tif 000010
2004501339.tif 000011
2004501339.tif 000012
2004501339.tif 000013
2004501339.tif 000014
2004501339.tif 000015
2004501339.tif 000016
2004501339.tif 000017
2004501339.tif 000018
2004501339.tif 000019
2004501339.tif 000020
2004501339.tif 000021
2004501339.tif 000022
【手続補正書】
【提出日】平成14年9月16日(2002.9.16)
【手続補正１】
【補正対象書類名】明細書
【補正対象項目名】特許請求の範囲
【補正方法】変更
【補正の内容】
【特許請求の範囲】
【請求項１】
３００ｍ／ｓを下回る最大発射速度を有し、貫通コアと、標的において貫通コアを少なくとも部分的に破砕する弾薬と、自動点火装置と、点火ジェネレータと、一体にされた起爆装置を有する加速に応じる安全要素とを備えた自己推進式発射体であって、貫通コア（１）は、比較的小さなダーツ角度（α１）から比較的大きな鋭角度（α２）まで変化する段付きの先端（１０）を有するとともに、後端に向かって所定の角度（β）だけ先細るダーツ軸部（１２）を有し、貫通コア（１）は、少なくとも後部に、同軸キャビティ（２）を備え、同軸キャビティ（２）内には、同軸キャビティ（２）を開放するための火薬（４；３ａ）に隣接して、非致命的な活性物質（３ｂ）が装填されていることを特徴とする、自己推進式発射体。
【請求項２】
３００ｍ／ｓを下回る最大発射速度を有し、貫通コアと、標的において貫通コアを少なくとも部分的に破砕する弾薬と、自動点火装置と、点火ジェネレータと、一体にされた起爆装置を有する加速に応じる安全要素とを備えた自己推進式発射体であって、貫通コア（１）は、比較的小さなダーツ角度（α１）から比較的大きな鋭角度（α２）まで変化する段付きの先端（１０）を有するとともに、発射体ジャケット（２０）の中心軸に沿って挿入され、発射体ジャケット（２０）は、中空弾薬が設けられた発射体の外側発射体構造、または破砕性ジャケットを伴う大口径の爆薬が設けられた発射体の外側発射体構造と同じ外側発射体構造を有し、貫通コア（１）の同軸キャビティ（２）内には、標的で同軸キャビティを開放する少なくとも１つの爆薬（４；３ａ）が装填されていることを特徴とする、自己推進式発射体。
【請求項３】
キャビティ（２）内には、別の非致命的な活性物質（３ｂ）が装填されていることを特徴とする、請求項２に記載の自己推進式発射体。
【請求項４】
非致命的な活性物質（３ｂ）が、カプサイチンまたは催涙ガスであることを特徴とする、請求項１または３に記載の自己推進式発射体。
【請求項５】
貫通コア（１）がフラグメント形成され、および／または、フラグメント形成リング（３ｃ）が、キャビティ（２）内に設けられていることを特徴とする、請求項１または２に記載の自己推進式発射体。
【請求項６】
キャビティ（２）の内壁に切り欠き状の溝が設けられ、切り欠き状の溝によって、貫通コア（１）は、爆発時に、所定の態様で破壊されて開放されることを特徴とする、請求項１または２に記載の自己推進式発射体。
【請求項７】
カプサイチンが、プラスチックカプセル内に格納され、プラスチックカプセルが、外部でキャビティ（２）の内壁に機械的に接続されることを特徴とする、請求項４に記載の自己推進式発射体。
【請求項８】
煙形成火工材料等の煙を生じる物質が、キャビティ（２）内に装填されていることを特徴とする、請求項１または３に記載の自己推進式発射体。
【国際調査報告】
2004501339.tif 000023
2004501339.tif 000024
2004501339.tif 000025
2004501339.tif 000026
2004501339.tif 000027
2004501339.tif 000028